(57)【要約】【課題】遊技場において、遊技機の演出効果を低下させることなく遊技者に対して緊急性を有する情報を的確に報知する。【解決手段】外部から信号を受信して所定の情報を報知するための報知手段Ｍ１を備えた遊技機において、所定の情報が緊急性を有する場合に、当該情報の緊急性の度合いに応じて報知手段Ｍ１による報知態様を変更する報知態様変更手段Ｍ２として、情報の緊急性の度合いに応じて報知態様の変更を段階的に行う手段（Ｓ１Ａ〜Ｓ１Ｃ）を備える。報知態様変更手段Ｍ２は、情報の緊急性の度合いが高いほどスピーカーＳＰからの警報などを大音量とし、表示画面ＬＣＤに対する情報表示領域を大きくすると共に、遊技に対する制限を加える。【選択図】  図１
2015051062.tif 000002
【特許請求の範囲】
【請求項１】
外部から信号を受信して所定の情報を報知するための報知手段を備えた遊技機において、さらに、以下の構成を備えていることを特徴とする遊技機。
（１）前記所定の情報が緊急性を有する場合に、当該情報の緊急性の度合いに応じて前記報知手段による報知態様を変更する報知態様変更手段を備えていること。
（２）前記報知態様変更手段は、前記情報の緊急性の度合いに応じて前記報知態様の変更を段階的に行う手段として構成されていること。
【請求項２】
さらに、以下の構成をも備えていることを特徴とする請求項１に記載の遊技機。
（３）前記報知手段が音声出力手段からの音声出力により前記所定の情報を報知する手段として構成されると共に、前記報知態様変更手段が、音量の変更により前記報知態様を異ならせる手段であって、前記緊急性を有する情報を、当該情報の緊急性の度合いが高いほど大音量となる様に、遊技場の環境基準音量以上の音量で報知する手段として構成されていること。
【請求項３】
さらに、以下の構成をも備えていることを特徴とする請求項１又は２に記載の遊技機。
（４）前記報知手段が表示画面への表示出力により前記所定の情報を報知する手段として構成されると共に、前記報知態様変更手段が、前記表示画面における表示領域の変更により前記報知態様を異ならせる手段であって、前記緊急性を有する情報を、当該情報の緊急性の度合いが高いほど前記表示画面における表示領域を大きくする様に報知する手段として構成されていること。
【請求項４】
さらに、以下の構成をも備えていることを特徴とする請求項１〜３のいずれかに記載の遊技機。
（５）前記報知手段から前記緊急性を有する情報を報知する際には、当該遊技機における遊技の進行を司る遊技制御手段に対して動作上の制限を加える遊技状態制限手段を備えていること。
（６）前記遊技状態制限手段は、前記遊技制御手段を、通常の遊技を行える状態、遊技の一部を制限した状態又は遊技を行えない状態のいずれかの状態とする様に遊技状態を切り替えることによって前記遊技状態の制限を行う手段として構成されていること。
【請求項５】
さらに、以下の構成をも備えていることを特徴とする請求項４に記載の遊技機。
（７）球貸し機をＣＲサンドとの間で信号の授受を行うインタフェース手段を備え、前記遊技状態制限手段が作動する際には、前記インタフェース手段を通じて前記ＣＲサンドの動作に対しても制限を加えるＣＲサンド制限手段を備えていること。
【請求項６】
遊技機と、該遊技機の制御装置に接続された遊技媒体貸出機と、該遊技媒体貸出機に対して信号を送信するホールコンピュータとを備え、該ホールコンピュータが外部からの信号を受信して前記遊技機及び球貸し機の少なくとも一方の備える報知手段を介して所定の情報を報知する遊技場管理システムにおいて、さらに、以下の構成を備えていることを特徴とする遊技場管理システム。
（２１）前記ホールコンピュータは、前記所定の情報が緊急性を有する場合に、当該情報の緊急性の度合いに応じて前記報知手段による報知態様を変更する報知態様変更手段を備えていること。
（２２）前記ホールコンピュータは、前記報知手段から前記緊急性を有する情報を報知する際には、前記遊技媒体貸出機の動作に制限を加えることにより、当該遊技媒体貸出機と接続された制御装置による遊技の進行に対して動作上の制限を加える遊技状態制限手段を備えていること。
【発明の詳細な説明】
【技術分野】
【０００１】
本発明は、パチンコ機、スロットマシンなどの遊技機及びこれら遊技機が設置された遊技場の管理システムに関する。
【背景技術】
【０００２】
従来、火災や地震などが発生した場合に、遊技場の遊技者に対して警報を報知するシステムが提案されている（特許文献１〜３）。
【０００３】
特許文献１は、各遊技機にホールサーバーと通信可能な緊急連絡用スピーカを備えておき、ホールサーバーに緊急信号を入力するキースイッチや非常スイッチの操作によって各遊技機に対して緊急情報を連絡するシステムを提案している。
【０００４】
特許文献２は、緊急地震速報受信装置が緊急地震速報を受信したことを条件に、遊技機の演出表示画面やデータ表示画面を利用して防災情報を出力するシステムを提案している。
【０００５】
特許文献３は、ホールコンピュータから災害信号を受信することを条件に液晶表示画面により避難勧告処理を行うと共に、避難勧告処理中は演出動作を実行しないように構成した遊技機を提案している。
【０００６】
これら従来技術によれば、火災や地震の様な避難を必用とする状況となったときに遊技者に対して警報を行うことができる。
【先行技術文献】
【特許文献】
【０００７】
【特許文献１】特開２００８−７９６４７（要約，図１，図２）
【特許文献２】特開２０９−１３６４３８（要約，図２，図１０，図２６）
【特許文献３】特開２０１１−２４９３１（要約，図３，図４）
【発明の概要】
【発明が解決しようとする課題】
【０００８】
しかし、遊技場内は遊技機や関連設備から発生する音により、店内放送や警報機による警報が十分に聞き取れないおそれがある。一方、遊技機が発生する効果音等の音量を下げすぎると遊技機による十分な演出効果が得られない。表示による場合も、演出の一貫としての表示なのか否かを区別できない可能性もある。
【０００９】
また、火災発生時の緊急性と地震発生時の緊急性とは異なるのに対し、従来技術は、火災も地震も同じように報知するに過ぎないものとなっている。
【００１０】
加えて、遊技場において、遊技者に対して知らせることが望ましい情報は、火災や地震に限ったものではなく、こうした種々の情報は、それぞれに緊急性の度合いが異なっている。
【００１１】
そこで、本発明は、遊技場において、遊技機の演出効果を低下させることなく遊技者に対して緊急性を有する情報を的確に報知することができる様にすることを目的とする。
【課題を解決するための手段】
【００１２】
かかる目的を達成するためになされた本発明の遊技機は、図１（Ａ）に例示する様に、外部から信号を受信して所定の情報を報知するための報知手段Ｍ１を備えた遊技機において、さらに、以下の構成を備えていることを特徴とする。
（１）前記所定の情報が緊急性を有する場合に、当該情報の緊急性の度合い（ＬＶemr ）に応じて前記報知手段Ｍ１による報知態様を変更する報知態様変更手段Ｍ２を備えていること。
（２）前記報知態様変更手段Ｍ２は、前記情報の緊急性の度合い（ＬＶemr ）に応じて前記報知態様の変更を段階的に行う手段（Ｓ１Ａ〜Ｓ１Ｃ）として構成されていること。
【００１３】
報知手段Ｍ１としては、音声出力によるもの、表示出力によるもの、ランプ出力によるもの、これらを組み合わせたものをあげることができる。また、報知手段Ｍ１は、遊技機の演出に用いるもの（ＬＣＤ，ＬＥＤ，ＳＰ）を使用する構成であってもよいし、演出用とは別に遊技機に備えさせた機器（例えば、警報ブザー、警報ランプなど）を本発明における報知手段としてもよい、演出用報知手段と専用の報知手段とを組み合わせたものであってもよい。
【００１４】
所定の情報としては、地震情報、火災情報といった［避難を要する可能性のある情報］、置き引き注意や球貸し機（ＣＲサンド）からの媒体カードの取り忘れ注意などといった［離席の際の注意を促すための情報］、大雨警報や台風接近情報、公共交通機関の運行情報といった［帰路に影響を与える様な情報］、イベント予告や宣伝広告などといった［告知のための情報］などをあげることができる。
【００１５】
外部からの信号は、図１（Ｂ）に例示する様に、ホールコンピュータＨＣに備えたスイッチ類（ＳＷ１，ＳＷ２）を操作することによって緊急性の度合いを付して遊技機Ｐに受信させ、遊技機Ｐ側で緊急性の度合い（ＬＶemr ）を判定してもよいし、図１（Ｃ）に例示する様に、気象情報，交通情報などを外部情報受信手段Ｍ３で受信したホールコンピュータＨＣが内容から緊急性の度合い（ＬＶemr ）を判定した上で遊技機Ｐに受信させる様にしてもよい。この場合、ホールコンピュータＨＣと遊技機Ｐの間での信号の伝達は、遊技機の外部情報端子基板を通じて行う様にしてもよいし、遊技機と接続されるＣＲサンドを介在させる様にしてもよい。
【００１６】
本発明の遊技機によれば、遊技機を通じて遊技者に伝えるべき情報が緊急性を有する場合、報知態様変更手段が、当該情報の緊急性の度合いに応じて、例えば、［避難を要する可能性のある情報］＞［離席の際の注意を促すための情報］＞［帰路に影響を与える様な情報］＞［告知のための情報］といった緊急性の度合いに応じて報知態様を変更する。また、報知態様を段階的に変更できるので、遊技者が当該情報の緊急性の度合いの高さを区別し易い。
【００１７】
より具体的には、これら本発明の遊技機は、図２（Ａ）に例示する様に、以下の構成をも備えるものとすることができる。
（３）前記報知手段Ｍ１が音声出力手段ＳＰからの音声出力により前記所定の情報を報知する手段として構成されると共に、前記報知態様変更手段Ｍ２が、音量（ＶＬＭ）の変更により前記報知態様を異ならせる手段であって、前記緊急性を有する情報を、当該情報の緊急性の度合いが高いほど大音量となる様に、遊技場の環境基準音量以上の音量で報知する手段（Ｓ２Ａ〜Ｓ２Ｄ）として構成されていること。
【００１８】
音声出力による報知にあっては、緊急性の度合いが高いほど大音量で情報を報知することにより、遊技者の注意を促すことができるからである。また、遊技場においては、現在、環境基準音量（９５ｄＢ）の範囲内で効果音等の音声が発生されている。従って、［告知のための情報］の様に緊急性の度合いが低い情報を音声報知する場合は９５ｄＢ以下に抑えることが望ましいが、［避難を要する可能性のある情報］の様に緊急性の度合いが高く、確実に遊技者に伝達すべき情報を音声出力で報知するときは、９５ｄＢ以下では的確に遊技者に伝達できないおそれがある。本発明の遊技機は、緊急性の度合いが所定レベル以上の場合は環境基準音量以上とすると共に、緊急性の度合いが高いほど大音量とすることにより、［避難を要する可能性のある情報］の様に緊急性の度合いが極めて高い情報を、演出の一貫と誤解されることなく遊技者に的確に伝達することができる。この様な音量の変更は、ハードウェアとして９５ｄＢを超える最大出力特性を有するスピーカーを遊技機に備えさせ、「通常状態」や「緊急性の度合いの低い情報を報知する状態」においては、遊技機のコンピュータにより、スピーカー出力９５ｄＢ以下の範囲内で音量特性を変更するソフトウェア的に音量を決定する音声報知態様としておき、「緊急性の度合いの高い情報を報知する状態」になったら、スピーカーの最大出力で音声報知を行うといった様にハードウェア的に音量が決定される音声報知態様へと切り替えるといった具合に実行することができる。
【００１９】
また、これら本発明の遊技機は、図２（Ｂ）に例示する様に、以下の構成をも備えるものとすることができる。
（４）前記報知手段Ｍ１が表示画面ＬＣＤへの表示出力により前記所定の情報を報知する手段として構成されると共に、前記報知態様変更手段Ｍ２が、前記表示画面ＬＣＤにおける表示領域の変更により前記報知態様を異ならせる手段であって、前記緊急性を有する情報を、当該情報の緊急性の度合いが高いほど前記表示画面ＬＣＤにおける表示領域を大きくする様に報知する手段（Ｓ３Ａ〜Ｓ３Ｄ）として構成されていること。
【００２０】
遊技機の表示画面ＬＣＤは、遊技者が注目している場所であるから、表示画面への表示出力は遊技者への注意を促すのに適した報知の方法といえる。このとき、表示態様変更手段Ｍ２が緊急性の度合いに応じて、テロップ表示、別ウインドウ表示など報知の態様を変更する。例えば、［告知のための情報］や［帰路に影響を与える様な情報］などはテロップ表示として表示画面のごく一部の表示領域だけ使用した報知態様とし（Ｓ３Ａ→Ｓ３Ｄ）、［離席の際の注意を促すための情報］などは表示画面に別ウインドウを開き（Ｓ３Ａ→Ｓ３Ｃ）、［避難を要する可能性のある情報］の様に緊急性の度合いが極めて高い情報は全画面表示（Ｓ３Ａ→Ｓ３Ｂ）とするなどをあげることができる。表示領域が大きくなれば、表示画面に注目している遊技者が見落とすといったことがおこりにくく、遊技者に対して緊急性の度合いの高い情報を的確に視認させることができる。
【００２１】
なお、「緊急性の度合いに応じた報知態様」は、図２（Ｃ）に示す様に、「報知すべき情報の種類」に基づいて報知態様の変更を行うための緊急性判定手段（Ｓ４Ａ〜Ｓ４Ｇ）を報知態様変更手段Ｍ２に備えさせることで実現していてもよい。
【００２２】
既に例示した様に、地震情報、火災情報といった［避難を要する可能性のある情報］、置き引き注意やＣＲサンドからの媒体カードの取り忘れ注意などといった［離席の際の注意を促すための情報］、大雨警報や台風接近情報、公共交通機関の運行情報といった［帰路に影響を与える様な情報］、イベント予告や宣伝広告などといった［告知のための情報］など、遊技場において遊技者に報知する情報は種類で緊急性の度合いを区別可能なものである。従って、報知態様変更手段を情報の種類に基づいて報知態様の変更を行う手段として構成することにより、適切な報知態様を的確に選択することを技術的に実現し易くなり、また、情報の種類の増減にも迅速に対応できる。なお、情報の種類は、その情報が地震速報として受信されたのか、火災報知器から受信されたのか、交通情報として受信されたのか、タイマー設置等によって定期的に報知されるものなのか等により、確実に切り分けすることができる。
【００２３】
また、これら本発明の遊技機は、図３（Ａ）に例示する様に、以下の構成をも備えるものとすることができる。
（５）前記報知手段Ｍ１から前記緊急性を有する情報を報知する際には、当該遊技機Ｐにおける遊技の進行を司る遊技制御手段Ｍ４に対して動作上の制限を加える遊技状態制限手段Ｍ５を備えていること。
（６）前記遊技状態制限手段Ｍ５は、前記遊技制御手段Ｍ４を、通常の遊技を行える状態、遊技の一部を制限した状態又は遊技を行えない状態のいずれかの状態とする様に遊技状態を切り替えることによって前記遊技状態の制限を行う手段（Ｓ５Ａ〜Ｓ５Ｃ）として構成されていること。
【００２４】
ここで、「動作上の制限」としては、遊技球の発射を停止したり、大当たりラウンドの進行を中断したりする等の措置をあげることができる。遊技状態制限手段による動作上の制限が加わることにより、緊急性を有する情報が演出の一貫ではないということを、遊技者に自然と理解させることができると共に、避難体制への移行を促すものとなる。
【００２５】
また、（６）の構成をも備えることで、例えば、［告知のための情報］や［帰路に影響を与える様な情報］は、遊技者に対して直ちに何らかの行動を起こさせるための情報ではないから、通常の遊技を行える状態のままで報知を行い、［離席の際の注意を促す情報］は一時的に打球の発射を抑制するなどして遊技者に「あれ？」と気付かせる様にし、［避難を要する可能性のある情報］は遊技を行えない状態として、直ちに避難行動を起こし易くするといった報知に切り分けることができる。なお、［避難を要する可能性のある情報］においても、火災の場合と地震の場合とでは緊急性の度合いが異なると共に、感熱センサによる遊技機の過熱による火災の可能性と、煙センサによる火災の可能性では緊急性の度合いが異なり、地震の場合にも震度や震源地との関係によって緊急性の度合いが異なる。従って、火災同士、地震同士であっても、これら遊技状態の制限のレベルを変更することができる。これは、その後の混乱を避ける上でも有利なものとなり得る。
【００２６】
遊技状態の制限は、遊技島にＣＲサンドを設置した遊技場においては、ＣＲサンドと遊技機との接続信号（ＶＬ信号）を切断状態とすることで、発射停止状態を実現することができる。ＣＲサンドを介して遊技状態を制限する様にすることにより、主制御基板への信号入力を伴わずに遊技状態を制限することが可能となり、規則上の制限を満足しつつ本発明を実施することができる。
【００２７】
従って、上記（６），（７）を備えた遊技機は、具体的態様として、図３（Ｂ）に例示する様に、以下の構成をも備えることができる。
（８）球貸し機を構成するＣＲサンドとの間で信号の授受を行うインタフェース手段Ｍ６を備え、前記遊技状態制限手段Ｍ５が作動する際には、前記インタフェース手段Ｍ６を通じて前記ＣＲサンドの動作に対しても制限を加えるＣＲサンド制限手段Ｍ７を備えていること。
【００２８】
この場合、ＣＲサンドの表示器を報知手段Ｍ１として利用することもできる。従って、本発明の目的は、図４に例示する様に、遊技機Ｐと、該遊技機Ｐの制御装置ＰＣに接続された遊技媒体貸出機ＣＲと、該遊技媒体貸出機ＣＲに対して信号を送信するホールコンピュータＨＣとを備え、該ホールコンピュータＨＣが外部からの信号を受信して前記遊技機Ｐ及び球貸し機ＣＲの少なくとも一方の備える報知手段Ｍ１を介して所定の情報を報知する遊技場管理システムにおいて、さらに、以下の構成を備えていることを特徴とする遊技場管理システムによっても実現することができる。
（２１）前記ホールコンピュータＨＣは、前記所定の情報が緊急性を有する場合に、当該情報の緊急性の度合いに応じて前記報知手段Ｍ１による報知態様を変更する報知態様変更手段Ｍ２を備えていること。
（２２）前記ホールコンピュータＨＣは、前記報知手段Ｍ１から前記緊急性を有する情報を報知する際には、前記遊技媒体貸出機ＣＲの動作に制限を加えることにより、当該遊技媒体貸出機ＣＲと接続された制御装置ＰＣによる遊技の進行に対して動作上の制限を加える遊技状態制限手段Ｍ５を備えていること。
【００２９】
例えば、［避難を要する可能性のある情報］を報知する場合は、遊技媒体貸出機のボタンを押しても遊技球やコインが出ず、カードなどの媒体を返却してしまい、遊技機と遊技媒体貸出機との接続信号（ＶＬ信号）を切断状態として遊技球を発射できない状態としつつ、緊急性の高い情報を報知する。
【００３０】
なお、遊技媒体貸出機は、ＣＲサンドの様に遊技機同士の間に別体で設置されるものはもちろん、遊技機自体に内蔵されたものであってもよい。
【発明の効果】
【００３１】
本発明によれば、遊技場において、遊技機の演出効果を低下させることなく遊技者に対して緊急性を有する情報を的確に報知することができる。的確な情報伝達により、遊技者にとってはより安心した遊技を行うことができるという効果もある。
【図面の簡単な説明】
【００３２】
【図１】課題解決手段の構成を例示し、（Ａ）は報知手段と報知態様変更手段の関係の概念図、（Ｂ），（Ｃ）はホールコンピュータと遊技機の関係の概念図である。
【図２】課題解決手段の構成を例示し、（Ａ）は音量の変更による報知態様変更手段を備える場合の概念図、（Ｂ）は表示領域の変更による報知態様変更手段を備える場合の概念図、（Ｃ）は報知態様変更手段に緊急性判定手段を備えさせる場合の概念図である。
【図３】課題解決手段の構成を例示し、（Ａ）は報知態様変更手段と遊技状態制限手段との関係を示す概念図、（Ｂ）はさらにＣＲサンド制限手段を備える場合の概念図である。
【図４】課題解決手段の構成を例示し、ホールコンピュータが関与する遊技場管理システムとしての概念図である。
【図５】実施例１の遊技場管理システムを示し、（Ａ）は全体構成の概念図、（Ｂ）はホールコンピュータの外部情報出力指令のフローチャートである。
【図６】実施例１のパチンコ機を示し、（Ａ）は遊技盤を取り外した状態の斜視図、（Ｂ）は正面図、（Ｃ）は分解斜視図である。
【図７】実施例１のパチンコ機の制御装置の構成を示すブロック図である。
【図８】実施例１のパチンコ機における賞球払出制御処理を説明する図であって、（Ａ）は制御系統のブロック図、（Ｂ）は演算処理のフローチャート、（Ｃ）は払出制御基板における演算処理のフローチャートである。
【図９】実施例１のパチンコ機における乱数抽選を説明する図であって、（Ａ）は制御系統のブロック図、（Ｂ）は演算処理のフローチャートである。
【図１０】実施例１のパチンコ機における保留消化処理を説明する図であって、（Ａ）は制御系統のブロック図、（Ｂ）は演算処理のフローチャートである。
【図１１】実施例１のパチンコ機における演出制御を説明する図であって、（Ａ）は制御系統のブロック図、（Ｂ）は演算処理のフローチャートである。
【図１２】実施例１のパチンコ機における外部情報出力処理を説明する図であって、（Ａ）は制御系統のブロック図、（Ｂ）は演算処理のフローチャートである。
【発明を実施するための形態】
【００３３】
以下、本発明の実施形態として、具体的な実施例を図面に基づき詳細に説明する。実施例において「左」又は「右」とは、パチンコ機の表側（前面側）から見たときの「左」又は「右」を示すものとする。
【実施例１】
【００３４】
［１  遊技場管理システムの概要］
図５に示す様に、遊技島には、球貸し用のカードユニット（ＣＲサンド）５００と、パチンコ機Ｐとが、交互に設置されている。また、管理室には、ホールコンピュータ４００が設置されている。ホールコンピュータ４００は、入力装置４１０、操作スイッチ４２０、外部情報受信部４３０、記憶部４４０、演算部４５０、信号出力部４６０、モニタ４７０、スピーカー４８０、及びマイク４９０を備えている。入力装置４１０は、キーボード、カードリーダー等によって構成され、例えば、イベント情報など、遊技者に告知しようとする情報（以下、「告知情報」という。）を入力するのに用いられる。こうした告知情報は、遊技機向けの表示データとして記憶部４４０に記憶され、所定のタイミングにおいて演算部４５０によって読み出されて信号出力部４６０を介して各パチンコ機Ｐ，Ｐ，…に向けて出力される。
【００３５】
外部情報受信部４３０には、地震警報受信機６１０、火災報知器６２０、気象情報受信機６３０、交通情報受信機６４０といった外部からの情報を受信するための装置（以下、総称する場合は、「外部情報受信装置６００」という。）が接続されている。外部情報受信部４３０を介して受信した外部情報受信装置６００からの情報は、モニタ４７０への表示及びスピーカー４８０からの音声出力によって、管理室内の担当者が常時確認している。操作スイッチ４２０は、これら外部情報の中に遊技者に伝達すべき情報があったときに操作され、当該情報に対して緊急性の度合い（ＬＶemr ）を設定する役割をもっている。なお、操作スイッチ４２０は、デフォルトにおいて緊急性の度合いが最低（ＬＶemr ＝０）の設定となっている。
【００３６】
演算部４５０は、図５（Ｂ）に示す様に、操作スイッチ４２０が操作されて緊急性の度合いがデフォルト値から変更されたとき（Ｓ１：ＹＥＳ）、外部情報受信部４３０を介して受信した外部情報ＤＴに対して緊急性の度合いＬＶerr 、出力インターバルＴ及び出力回数Ｎを設定して記憶部４４０へと記憶する（Ｓ２）。このとき、演算部４５０は、当該外部情報の出力インターバルＴを緊急性の度合いが高いほど短い時間となる様に設定して記憶部４４０へと記憶する。また、出力回数Ｎは、ＬＶerr の値に応じて予め設定した数値となっている。
【００３７】
演算部４５０は、出力インターバルＴが経過する毎に（Ｓ３：ＹＥＳ）、記憶部４４０から当該外部情報を出力するためのデータを読み出し（Ｓ４）、出力回数Ｎをデクリメントすると共にデータを信号出力部４６０から出力する（Ｓ５）。このとき読み出すデータはＳ２で設定したＬＶerr が含まれたものとなっていて、受信した側で「緊急性の度合い」を判別できるデータ構造となっている。
【００３８】
演算部４５０は、Ｓ１の処理で「ＮＯ」と判定した場合は、告知情報の入力がなされたか否かを判定する（Ｓ６）。そして、告知情報の入力がなされた場合は（Ｓ６：ＹＥＳ）、出力インターバルＴと出力回数Ｎの入力を要求し（Ｓ７）、入力された出力インターバルＴ０、出力回数Ｎ０と共にＬＶerr ＝０を設定した告知情報ＤＴ０を記憶部４４０に記憶する（Ｓ８）。新たに外部情報が設定されるまでは（Ｓ１，Ｓ６共に「ＮＯ」）、Ｓ３以下の処理が繰り返し実行される。
【００３９】
［２  緊急性の度合いの設定ルール］
本実施例においては、交通情報受信機６４０から受信した交通情報の中に遊技者に伝達すべき情報ＤＴ１があったときは、管理者は操作スイッチ４２０の操作によって緊急性の度合いＬＶemr を「１」に設定することとしている。すると、演算部４５０が、このとき外部情報受信部４３０において受信している交通情報に対して、ＬＶemr ＝１、Ｎ＝Ｎ１及びＴ＝Ｔ１を設定して記憶部４４０へと記憶する。
【００４０】
また、気象情報受信機６３０から受信した気象情報の中に遊技者に伝達すべき情報ＤＴ２があったときは、管理者は操作スイッチ４２０の操作によって緊急性の度合いＬＶemr を「２」に設定することとしている。すると、演算部４５０が、このとき外部情報受信部４３０において受信している気象情報に対して、ＬＶemr ＝２、Ｎ＝Ｎ２及びＴ＝Ｔ２を設定して記憶部４４０へと記憶する。
【００４１】
なお、火災報知器６２０から火災発生に関する情報を受信したときは、演算部４５０は、煙感知情報ＤＴ３か熱感知情報ＤＴ４かを判定し、操作スイッチ４２０の操作の有無に関係なく、煙感知情報ＤＴ３であるときは緊急性の度合いＬＶemr を「３」に設定し、熱感知情報ＤＴ４であるときは緊急性の度合いＬＶemr を「４」に設定すると共に、このとき外部情報受信部４３０において受信している火災に関する情報に対して、ＬＶemr ＝３、Ｎ＝ＮＴ３及びＴ＝Ｔ３、又はＬＶemr ＝４、Ｎ＝ＮＴ４及びＴ＝Ｔ４を設定して記憶部４４０へと記憶する。
【００４２】
また、地震警報受信装置６１０から地震警報情報を受信したときは、演算部４５０は、操作スイッチ４２０の操作の有無に拘わらず、このとき外部情報受信部４３０において受信している地震警報情報に対して、緊急性の度合い最大に相当するＬＶemr ＝５及びＮ＝９９９を設定して記憶部４４０へと記憶すると共に、直ちに、信号出力部４６０から出力する。即ち、インターバルＴは０に設定され、繰り返し、遊技機Ｐに向けて地震警報を伝達する。
【００４３】
なお、操作スイッチ４２０がデフォルト位置に戻されたときに、ＬＶerr ≧１の設定されたデータは記憶部４４０から削除される。
【００４４】
［２  遊技機全体の概要］
実施例１のパチンコ遊技機Ｐは、図６に示す様に、外枠Ａ、中枠Ｂ、遊技盤Ｃ、前枠Ｄ、上の球受け皿Ｅ、下の球受け皿Ｆ及び発射装置Ｇを備えている。外枠Ａはパチンコ機Ｐの外郭を構成する縦長方形の枠である。中枠Ｂは、各種の遊技用構成部材をセットするための縦長方形の枠であって、外枠Ａの前面側に開閉可能かつ着脱可能に組み付けられる。遊技盤Ｃは、中枠Ｂの開口部に取り付けられる。前枠Ｄは遊技盤Ｃの透視保護窓であって、施錠装置Ｈの操作によって開閉可能な様に中枠Ｂの前面側に組み付けられる。上の球受け皿Ｅは、貸し球や賞球の受け皿で、本実施例においては前枠Ｄの下部と一体に構成されている。従って、前枠Ｄを中枠Ｂに対して開閉するときに上の球受け皿Ｅも共に開閉される。下の球受け皿Ｆは、上の球受け皿Ｅが一杯になったときに排出される遊技球や打ち損じの遊技球等を受ける受け皿であって、中枠Ｂの下部に固定されている。発射装置Ｇは、上の球受け皿Ｅから発射レールに送り込まれた遊技球をハンドル操作に対応する強さで打ち出すための装置であって、中枠Ｂの右下部に装備される。
【００４５】
中枠Ｂは、上縁をなす上枠部材Ｂ１と、下縁をなし発射装置Ｇ等が設置された下枠部材Ｂ２と、左側縁をなす左枠部材Ｂ３と、右側縁をなす右枠部材Ｂ４とから構成されて、これら上下左右の枠部材Ｂ１〜Ｂ４を組み付けた際に、全体が外枠Ａの開口に整合する矩形枠状に形成される。そして、上下左右の枠部材Ｂ１〜Ｂ４を組み付けた際に開口する開口部分が、遊技盤Ｃを設置する遊技盤保持部Ｂ５として機能する。ここで、中枠Ｂは、外枠Ａの左上端部及び左下端部に設けられた支軸を介して枢支され、左側端部を中心として中枠Ｂを回転させることで外枠Ａに対して中枠Ｂを開閉し得るようになっている。本実施例では、中枠Ｂが組立体となっている場合を説明したが、中枠Ｂは一体品でも構わない。
【００４６】
また、上の玉受け皿Ｅの右側には、貸し玉ボタンＱ、カード取り出しボタンＲ、演出操作ボタンＳも備えられている。実施例のパチンコ遊技機Ｐが設置される遊技島には、遊技機毎にカードユニットが設置されていて、このカードユニットに挿入されたカード式記憶媒体に対して、入金度数を記憶するシステムが採用されている。貸し玉ボタンＱは、このカード式記憶媒体に残度数がある場合に押下することで、例えば、２度数、５度数等の単位度数分の貸し玉指令を行うための押しボタンである。カード取り出しボタンＲは、遊技を終了したり、離席する際にカードユニットからカード式記憶媒体を取り出すための指令を入力するための押しボタンである。演出操作ボタンＳは、回転と押下とを行い得るものであって、内部にＬＥＤを備えている。このＬＥＤは、所定の遊技状態において点灯され、遊技者に演出ボタン操作を促す等のために設けられている。
【００４７】
［３  制御装置の構成］
図７に示す様に、ＣＰＵ，ＲＯＭ，ＲＡＭ，クロック等を備えた主制御基板３１０に対して、遊技盤Ｃに備えられた各入賞口への遊技球の入賞を検知する入賞検知センサＳＥ１，ＳＥ２，…、裏ユニットの球排出通路へと遊技球が排出されたことを検知する排出球検知センサＳＥ１１，ＳＥ１２からの検知信号が入力される様になっている。また、主制御基板３１０からは、サブ制御基板３２０、払出制御基板３３０、及び発射制御基板３４０へとコマンドが出力される様になっている。インタフェース基板３５０は、払出制御基板３３０との間でコマンドのやり取りを行う構成となっている。なお、電源基板３６０は、電源中継基板３８０を介して主制御基板３１０への電源供給を行う構成となっている。そして、サブ制御基板３２０は、演出表示制御基板３７０へとコマンドを出力する構成となっている。また、貸し玉ボタンＱ、カード取り出しボタンＲからの押下信号は、球貸し操作基板３９０へと入力され、この球貸し操作基板３９０からインタフェース基板３５０を経由して払出制御基板３３０へと入力される構成となっている。インタフェース基板３５０はまた、カードユニット５００との間でもコマンドをやり取りする構成となっている。また、演出操作ボタンＳからの押下信号は、サブ制御基板３２０へと入力される構成となっている。
【００４８】
サブ制御基板３２０は、主制御基板３１０からの演出指令信号に基づいて、発光装置ＬＥＤ、スピーカＳＰ、モータＭＴ、ソレノイドＳＯＬに対して制御信号を出力して発光演出、音声演出、可動体演出を実行すると共に、演出表示制御基板３７０へと演出表示のためのコマンドを出力している。演出表示制御基板３７０は、サブ制御基板３２０からの演出表示のための指令信号に基づいて、液晶表示装置ＬＣＤに対して制御信号を出力し、表示演出を実行する。
【００４９】
払出制御基板３３０は、主制御基板３１０からの払出コマンドに従って、賞球の払出を実行する。賞球払出個数は、どの入賞口に入賞したかによって予め定められている。また、主制御基板３１０は、払出制御基板３３０の外部出力端子を介してホールコンピュータ４００へとエラー信号を出力する機能も備えている。
【００５０】
発射制御基板３４０は、主制御基板３１０からの制御コマンドに従って、発射装置Ｇによる打球の発射・停止を実行する。打球の停止は、例えば、何らかのエラーが発生したときなどに指令される。
【００５１】
インタフェース基板３５０は、球貸し操作基板３９０からの貸し玉指令やカード取り出し指令の中継基板として機能する。貸し玉指令は、インタフェース基板３５０を中継して払出制御基板３３０とカードユニット５００へと出力される。貸し玉指令が入力された払出制御基板３３０は、ＢＣユニット３３５へと玉貸し信号を出力し、ＢＣユニット３３５が作動して上皿Ｅへと玉貸しが実行される。また、貸し玉指令が入力されたカードユニット５００は、貸し玉指令に対応する残度数管理を行う。具体的には、カード式記憶媒体の残度数の減算処理を行う。そして、カードユニット５００は、減算処理した後の残度数データをインタフェース基板３５０へと出力する。この残度数データは、貸し玉ボタンＱの近傍に設けられた残度数表示の更新に用いられる。また、カード取り出し指令は、インタフェース基板３５０を中継してカードユニット５００へと出力する。カードユニット５００は、カード取り出し指令が入力されるとカード取り出し動作を実行する。
【００５２】
なお、ホールコンピュータ４００の信号出力部４６０からの信号は、払出制御基板３３０を介してサブ制御基板３２０へと入力される。
【００５３】
［４  制御処理（賞球払出）］
主制御基板３１０は、図８（Ａ）に示す制御系統により、入賞検知センサＳＥ１〜ＳＥ７からの入賞検知信号が入力されると、各センサに対応する賞球払出個数に対応する賞球払出コマンドを払出制御基板３３０に対して出力する賞球払出処理を実行している。これを受けて、払出制御基板３３０は、遊技球の入賞口に対応して予め定められた個数の賞球の払出動作を実行する。
【００５４】
この賞球払出制御は、図８（Ｂ）に示す様な演算処理ルーチンとして実行され、入賞検知センサＳＥ１〜ＳＥ５からの検知信号が入力されたか否かを判断し（Ｓ１０）、「ＹＥＳ」と判定されたら、払出制御基板３３０に対してセンサを特定した賞球払出信号を出力すると共に（Ｓ２０）、抽選処理ルーチンを起動する（Ｓ３０）。
【００５５】
このとき、払出制御基板３３０には、図８（Ａ）に示す様に、ホールコンピュータ４００からの外部情報出力信号が入力されていて、図８（Ｃ）に示す様な演算処理ルーチンを実行している。ホールコンピュータ４００からの外部情報出力指令ＤＴが入力されているか否かを判定し（Ｓ５１）、「ＮＯ」の場合は払出信号が入力されているか否かを判定する（Ｓ５２）。払出信号が入力されていたら（Ｓ５２：ＹＥＳ）、ＢＣユニット３５５へと払出信号を出力する（Ｓ５３）。
【００５６】
ＤＴが入力されたときは（Ｓ５１：ＹＥＳ）、緊急性の度合いＬＶerr が「５」であるか否かを判定する（Ｓ５４）。「ＮＯ」の場合は、受信したＤＴをサブ制御基板３２０へと出力し（Ｓ５５）、Ｓ５２へ進む。
【００５７】
一方、受信したＤＴがＬＶerr ＝５の場合は（Ｓ５４：ＹＥＳ）、ＢＣユニット３３５及びインタフェース基板３５０に対するＶＬ信号をＯＦＦとした上で（Ｓ５６）、Ｓ５５へ進む。Ｓ５６でＶＬ信号がＯＦＦとなると、賞球払出、打球発射が停止され、球貸し禁止となり、カード返却が実行される。
【００５８】
［５  制御処理（乱数抽選）］
また、主制御基板３１０は、図９（Ａ）に示す制御系統により、始動入賞口の入賞検知センサＳＥ１からの入賞検知信号が入力されると、乱数抽選を実行し、その結果を保留球記憶情報としてＲＡＭに記憶する乱数抽選処理を実行している。
【００５９】
ここで、本実施例の遊技機は、センター役物の下方に備えられた始動入賞口への入賞を契機として乱数を取得し、図柄変動ゲーム開始時に「当たり」か「はずれ」かを判定する。「当たり」には「２Ｒ通常」「２Ｒ確変」「１５Ｒ通常」「１５Ｒ確変」など、単に当たりというだけでなく、遊技者に対する有利さの異なる複数種類の当たり種別の中のいずれに該当するかを、別途行われる「当たり種別判定」として実行する。なお、「２Ｒ」「１５Ｒ」とは、特別遊技のラウンド数を意味し、「確変」とは、特別遊技終了後に抽選による大当たりの確率が高い高確率（「確率変動」ともいう）の遊技状態となる場合を意味する。「通常」は、特別遊技終了後に「確変」にならない場合を意味する。また、「２Ｒ」の場合、短時間だけ特別入賞口を開閉する動作となっていて実質的な出玉は期待できない遊技状態となっている。「２Ｒ通常」「２Ｒ確変」における特別入賞口の開放時間を、出玉獲得可能な時間に設定しても構わない。
【００６０】
「当たり／はずれ」の判定に続いて、変動パターンが乱数抽選される。「当たり」の場合は、上述の様に、遊技者に対する有利さの異なる複数種類の当たり種別があることから、これら当たり種別のいずれであるかにより、当選確率を異ならせた変動パターンが、例えば、Ａ〜Ｃといった具合に複数用意されている。この変動パターンは、変動時間の長さとなっている。具体的には変動パターンごとに変動時間が異なっている。ここまでは主制御基板３１０の処理として実行される。こうして主制御基板３１０の決定した変動パターンに基づいて、サブ制御基板３２０側で変動パターンに対応する演出パターンが抽選される。例えば、変動パターンがＡ〜Ｃであるとき、演出パターンは、変動パターンＡに対して複数用意された演出パターンＡ１〜Ａｎの中のいずれかが、変動パターンＢに対して複数用意された演出パターンＢ１〜Ｂｎの中のいずれかが、変動パターンＣに対して複数用意された演出パターンＣ１〜Ｃｎの中のいずれかが、サブ制御基板３２０側で決定されるといった処理が実行されることになる。
【００６１】
また、「はずれ」の場合は、リーチはずれにするか否かを別途乱数を用いて抽選し、リーチはずれとする場合は、さらに、「はずれリーチ」の「変動パターン」が乱数抽選によって決定される。なお、はずれリーチの変動パターンとしては、「リーチはずれ」「スーパーリーチはずれ」などがあり、「リーチはずれ」の抽選結果とならなかったときは「ノーマルはずれ」として定まっている変動パターンに基づくはずれ演出となる。「変動パターン」とは、変動時間のことであり、スーパーリーチの場合には複数の変動パターンの中の一つが抽選されることになる。「ノーマルはずれ」「リーチはずれ」「スーパーリーチはずれ」のいずれの変動パターンになるかは、当選確率が「ノーマルはずれ」＞「リーチはずれ」＞「スーパーリーチはずれ」となる様に乱数値との対応が予め定められている。なお、「リーチはずれ」「スーパーリーチはずれ」の変動パターンは、当たりの場合と逆の傾向となる様な当選確率で変動パターンと乱数値との関係が予め定められている。
【００６２】
上述の様に、「スーパーリーチ」にあっては、その変動パターンが複数（例えばＡ〜Ｃ）用意されていて、例えば、「当たり」のときは「スーパーリーチＡ」＞「スーパーリーチＢ」＞「スーパーリーチＣ」という当選確率でいずれのパターンに発展するかが設定され、逆に、「はずれ」のときは「スーパーリーチＣ」＞「スーパーリーチＢ」＞「スーパーリーチＡ」という当選確率でいずれのパターンに発展するかが設定されることにより、遊技者は、スーパーリーチ演出に発展したとき、「パターンＡ」の変動時間となる演出ならば「当たり」となることをより大きく期待し、逆に「パターンＣ」の変動時間となる演出ならば「当たりの可能性は小さい」と、期待度が低い感覚を抱く。この様に、スーパーリーチの際に抽選された変動パターンに基づいて実行される演出パターンにより、遊技者に与える期待感を異ならせ、この結果、「パターンＡ」は信頼度が高く、「パターンＣ」は信頼度が低いといった予測を遊技者に与えることが可能となっている。なお、「ノーマル演出」は「当たり」での当選確率を極めて低く設定することによって「ノーマル当たり」にプレミアム感を持たせることにもなる。
【００６３】
本実施例における乱数抽選処理は、図９（Ｂ）に示す様な演算処理ルーチンとして実行され、今回検知信号を入力したセンサが始動入賞口センサＳＥ１のものか否かを判定し（Ｓ１１０）、「ＮＯ」であれば直ちに処理を終了する。一方、「ＹＥＳ」と判定された場合は、保留球個数Ｎが４未満か否かを判定する（Ｓ１２０）。Ｎ＜４ならば（Ｓ１２０：ＹＥＳ）、保留球個数Ｎをインクリメントし（Ｓ１３０）、「ＮＯ」の場合は乱数抽選に進むことなく処理を終了する。
【００６４】
乱数抽選に進むと、まず、「当たり／はずれ」を判定するための乱数を取得する「当たり／はずれ抽選」を実行する（Ｓ１４０）。そして、「当たり」の場合は（Ｓ１５０：ＹＥＳ）、「当たり種別」を決定するための乱数を取得し（Ｓ１６０）、「当たり種別」に対応する「変動パターン」の抽選までが実行される（Ｓ１６５）。「はずれ」の場合は（Ｓ１５０：ＮＯ）、「リーチ演出の有無」を決定するための乱数を取得し（Ｓ１７０）、「リーチ演出あり」の場合は、さらに「変動パターン」の抽選までが実行される（Ｓ１７５）。そして、Ｓ１４０，Ｓ１６０，Ｓ１７０で生成した乱数値をＲＡＭに記憶する（Ｓ１８０）。本実施例の場合、「当たり／はずれ」の乱数が「当たり」の場合に続いて「当たり種別」の乱数を取得することで、上述した「２Ｒ通常」「２Ｒ確変」「１５Ｒ通常」「１５Ｒ確変」のいずれに該当するかが特定されることとなる。なお、「ノーマルはずれ」について複数の変動パターンが設定される場合には、Ｓ１７０で「ＮＯ」の判定となった後に、「ノーマルはずれの変動パターン抽選」が追加されていても構わない。
【００６５】
なお、この乱数抽選処理は、Ｓ５６でＶＬ信号がＯＦＦとされて打球発射が停止された後は実行されない構成となっている。
【００６６】
［６  制御処理（保留消化）］
次に、保留消化処理について説明する。主制御基板３１０は、図１０（Ａ）に示す制御系統により、ＲＡＭ内に記憶された保留球記憶情報から乱数値を読み出し、当選条件と照合して演出指令コマンドをサブ制御基板３２０に対して指令する保留消化処理を実行する。
【００６７】
保留消化処理は、図１０（Ｂ）のフローチャートに示す様に、特別遊技を実行していない状態のときに（Ｓ２１０：ＮＯ）、ＲＡＭ内に保留記憶情報があるか否かを判定し（Ｓ２２０）、保留記憶情報があるときは当該記憶内容を一つ読み出し（Ｓ２３０）、乱数値１，乱数値２に基づいて演出指令コマンドを決定する（Ｓ２４０）。そして、この演出指令コマンドをサブ制御基板３２０に対して出力すると共に（Ｓ２５０）、保留記憶情報の更新を行う（Ｓ２６０）。
【００６８】
この保留消化処理も、Ｓ５６でＶＬ信号がＯＦＦとされて打球発射が停止された後は実行されない構成となっている。
【００６９】
［７  制御処理（演出制御）］
サブ制御基板３２０は、図１１（Ａ）に示す制御系統により、主制御基板３１０からの変動パターン指令コマンドに対応してサブ制御基板側で抽選した演出パターンに従って、発光装置ＬＥＤ、スピーカＳＰ、モータＭＴ、ソレノイドＳＯＬに対して制御信号を出力し、発光演出、音声演出、可動体演出等を実行すると共に、演出表示制御基板３７０を介して液晶表示装置ＬＣＤによる表示演出を実行させる。なお、主制御基板３１０からエラー報知が指令されたときは、エラー報知処理を実行する。
【００７０】
この演出制御は、図１１（Ｂ）示す様な演算処理ルーチンとして実行され、主制御基板３１０からの新たなコマンドが入力されたか否かを判定し（Ｓ３１０）、「ＹＥＳ」の場合は、当該コマンドがエラー報知か、変動パターン指令か、を判定する（Ｓ３２０）。ここで「エラー」ならば、エラーの種類を特定し（Ｓ３３０）、エラー報知を行って処理を終了する（Ｓ３４０）。一方、エラー報知でなく、「変動パターン指令コマンド」であるなら、変動パターン指令コマンドによって特定される変動パターン毎に複数用意されている演出パターンの中から抽選を行って一つの演出パターンを決定し（Ｓ３５０）、対応する演出制御データをＲＯＭから読み出し（Ｓ３６０）、演出表示制御基板３７０、発光装置ＬＥＤ等に対して制御データを出力する（Ｓ３７０）。
【００７１】
この演出処理は、Ｓ５４で外部情報出力指令ＤＴが出されたときは、ＤＴの内容に応じて液晶表示画面における背景表示領域を「全画面」から「１／２」「３／４」等に切り替えて変動図柄の表示領域を縮小したり、演出自体が見えない全面警報画面とされるなどの表示演出の制限が行われる。
【００７２】
このため、本実施例のパチンコ機Ｐにおいては、表示演出データとして、「全画面背景」「１／２背景＋大ウインドウ」「３／４背景＋中ウインドウ」「４／５背景＋小ウインドウ」といった背景画像データを予め記憶させておき、背景画面の切り替わりに応じて変動図柄の表示領域を縮小する様に、変動図柄についても「大図柄」、「中図柄」、「小図柄」と図柄のサイズのことなる変動パターンデータを予め記憶させておく。
【００７３】
［８  外部情報出力処理］
本実施例では、図１２（Ａ）に示す様に、ホールコンピュータ４００から出力される「告知情報」「交通情報」「気象情報」「火災警報」「地震警報」が、払出制御基板３３０を介してサブ制御基板３２０へと入力されて、パチンコ機Ｐの液晶表示装置ＬＣＤ及びスピーカーＳＰを用いてこれらの情報が遊技者に対して出力される構成となっている。
【００７４】
この外部情報出力処理は、図１２（Ｂ）示す様な演算処理ルーチンとして、サブ制御基板３２０によって実行される。まず、外部情報出力指令ＤＴが入力されたか否かを判定する（Ｓ４１０）。「ＮＯ」であれば、直ちに本ルーチンを抜ける。一方、「ＹＥＳ」の場合は、受信した外部情報出力指令ＤＴに設定されている緊急性の度合いＬＶerr が「５」であるか否かを判定する（Ｓ４２０）。
【００７５】
ＬＶerr ＝５の場合は（Ｓ４２０：ＹＥＳ）、外部情報の出力条件として、スピーカー出力を「最大ＳＥ」、ＬＣＤ出力を「全画面」に設定する（Ｓ４３０）。ここで、「最大ＳＥ」とは、効果音としての警報音声を最大音量（＞＞９５ｄＢ）で出力することを意味する。また、「全画面」とは、文字情報を液晶表示装置ＬＣＤの全画面にスーパーインポーズして表示することを意味する。そして、これらの設定に従って、「地震警報」をスピーカーＳＰ及び液晶表示装置ＬＣＤを用いて出力する（Ｓ４４０）。
【００７６】
Ｓ４２０が「ＮＯ」でＬＶerr ＝４の場合は（Ｓ４５０：ＹＥＳ）、外部情報の出力条件として、スピーカー出力を「大ＳＥ」、ＬＣＤ出力を「大ウインドウ」に設定する（Ｓ４６０）。ここで、「大ＳＥ」とは、効果音としての火災警報音声を大音量（＞９５ｄＢ）で出力することを意味する。また、「大ウインドウ」とは、文字情報を液晶表示装置ＬＣＤにスーパーインポーズした大ウインドウ内に表示することを意味する。そして、これらの設定に従って、「火災警報」をスピーカーＳＰ及び液晶表示装置ＬＣＤを用いて出力する（Ｓ４７０）。
【００７７】
Ｓ４５０が「ＮＯ」でＬＶerr ＝３の場合は（Ｓ４８０：ＹＥＳ）、外部情報の出力条件として、スピーカー出力を「大ＳＥ」、ＬＣＤ出力を「中ウインドウ」に設定する（Ｓ４９０）。ここで、「大ＳＥ」の音量はＳ４６０と同じである。「中ウインドウ」とは、文字情報を液晶表示装置ＬＣＤにスーパーインポーズした中ウインドウ内に表示することを意味する。そして、これらの設定に従って、「火災注意」をスピーカーＳＰ及び液晶表示装置ＬＣＤを用いて出力する（Ｓ５００）。
【００７８】
Ｓ４８０が「ＮＯ」でＬＶerr ＝２の場合は（Ｓ５１０：ＹＥＳ）、外部情報の出力条件として、スピーカー出力を「中ＳＥ」、ＬＣＤ出力を「小ウインドウ」に設定する（Ｓ５２０）。ここで、「中ＳＥ」の音量は９５ｄＢ以下とする。「小ウインドウ」とは、文字情報を液晶表示装置ＬＣＤにスーパーインポーズした小ウインドウ内に表示することを意味する。そして、これらの設定に従って、「気象情報」をスピーカーＳＰ及び液晶表示装置ＬＣＤを用いて出力する（Ｓ５３０）。
【００７９】
Ｓ５１０が「ＮＯ」でＬＶerr ＝１の場合は（Ｓ５４０：ＹＥＳ）、外部情報の出力条件として、スピーカー出力を「中ＳＥ」、ＬＣＤ出力を「テロップ」に設定する（Ｓ５５０）。ここで、「中ＳＥ」はＳ５２０と同じである。「テロップ」とは、文字情報を液晶表示装置ＬＣＤの下部に用意されているテロップ表示欄に表示することを意味する。そして、これらの設定に従って、「交通情報」をスピーカーＳＰ及び液晶表示装置ＬＣＤを用いて出力する（Ｓ５６０）。
【００８０】
Ｓ５４０が「ＮＯ」の場合は、外部情報の出力条件として、スピーカー出力を「小ＳＥ」、ＬＣＤ出力を「テロップ」に設定し（Ｓ５７０）、「告知情報」をスピーカーＳＰ及び液晶表示装置ＬＣＤを用いて出力する（Ｓ５８０）。なお、スピーカーＳＰからの出力は小さな音で「ピンポン」といった具合に、演出を邪魔することなく、遊技者に告知があったことを知らせることが可能な程度の音量とする。
【００８１】
［９  実施例１の構成］
実施例１によれば、パチンコ機Ｐは、地震警報、火災警報、火災注意、交通情報、気象情報及び告知情報といった外部情報を、スピーカーＳＰ及び液晶表示装置ＬＣＤを利用して出力する。この際、図１２（Ｂ）のルーチンに基づく演算処理により、各外部情報の有する緊急性の度合い（ＬＶemr ）に応じて、スピーカーＳＰ及び液晶表示装置ＬＣＤによる報知態様を変更している。この報知態様の変更は、緊急性の度合い（ＬＶemr ）に応じて多段階のものとなっている。従って、実施例１のパチンコ機は、図１等に示した報知手段Ｍ１及び、（２）の構成をも備えた報知態様変更手段Ｍ２を備えたものとなっている。
【００８２】
また、図１２（Ｂ）の演算処理ルーチンのＳ４３０，Ｓ４６０，Ｓ４９０，Ｓ５２０，Ｓ５５０，Ｓ５７０における処理は、図２（Ａ）に示した（３）の構成を備える報知態様変更手段Ｍ２に相当すると共に、図２（Ｂ）に示した（４）の構成を備える報知態様変更手段Ｍ２にも相当している。
【００８３】
さらに、ホールコンピュータ４００は、入力装置４１０，操作スイッチ４２０、及び外部情報受信手段４３０を備えると共に、図５（Ｂ）に示した演算処理によって外部情報に対して緊急性の度合いを設定して出力しているから、図１（Ｃ）に示した「気象情報，交通情報などを外部情報受信手段Ｍ３で受信したホールコンピュータＨＣが内容から緊急性の度合い（ＬＶemr ）を判定した上で遊技機Ｐに受信させる」という構成を備えたものである。
【００８４】
また、ホールコンピュータ４００は、火災警報、地震警報の場合には、これらを受信したら管理者の操作によらず、ＬＶerr を設定しているから、図２（Ｃ）に示した「報知すべき情報の種類」に基づいて報知態様の変更を行うための緊急性判定手段（Ｓ４Ａ〜Ｓ４Ｇ）を報知態様変更手段Ｍ２に備えたもの」ともなっている。
【００８５】
そして、ホールコンピュータ４００からＬＶerr ＝５の外部信号が出力されたときに払出制御基板３３０がＶＬ信号をＯＦＦにして発射制限等を行うから、パチンコ機Ｐは、図３（Ａ）に示した「（５）前記報知手段Ｍ１から前記緊急性を有する情報を報知する際には、当該遊技機Ｐにおける遊技の進行を司る遊技制御手段Ｍ４に対して動作上の制限を加える遊技状態制限手段Ｍ５」を備えたものとなっている。また、ＬＶerr ＝５、４，３，２，１，０に応じて、液晶表示装置ＬＣＤの表示領域を段階的に制限する処理を行っているから、「（６）前記遊技状態制限手段Ｍ５は、前記遊技制御手段Ｍ４を、通常の遊技を行える状態、遊技の一部を制限した状態又は遊技を行えない状態のいずれかの状態とする様に遊技状態を切り替えることによって前記遊技状態の制限を行う手段（Ｓ５Ａ〜Ｓ５Ｃ）」として構成されているともいうことができる。加えて、図３（Ｂ）に示した「（８）球貸し機を構成するＣＲサンドとの間で信号の授受を行うインタフェース手段Ｍ６を備え、前記遊技状態制限手段Ｍ５が作動する際には、前記インタフェース手段Ｍ６を通じて前記ＣＲサンドの動作に対しても制限を加えるＣＲサンド制限手段Ｍ７を備えている」という構成にも相当している。
【００８６】
よって、本実施例は、図４に示した遊技場管理システムの構成を備えたものとなっている。
【００８７】
［１０  実施例１による作用・効果］
本実施例によれば、地震情報、火災情報といった［避難を要する可能性のある情報］、大雨警報や台風接近情報、公共交通機関の運行情報といった［帰路に影響を与える様な情報］、イベント予告や宣伝広告などといった［告知のための情報］を、パチンコ機ＰのスピーカーＳＰで注意喚起しつつ液晶表示装置ＬＣＤを利用して、その緊急性の度合いに応じて段階的に変化させた態様で報知することができる。よって、遊技者に対して、緊急性の度合いを報知態様で的確に判断させ、次に何らかの行動をとるべきか否かを適切に知らせることができる。
【００８８】
遊技場は環境面から９５ｄＢ以下の音量に制限することが求められている。従って、緊急性の度合いの低い「気象情報」「交通情報」「告知情報」などは９５ｄＢ以下に設定することで、本実施例は環境維持に適するものである一方、「火災注意」「火災警報」「地震警報」の様な緊急性の度合いが高い外部情報については、敢えて９５ｄＢ以上の大音量、最大音量とすることにより、演出によるＢＧＭ、効果音などによって音声を聞き取り難い環境の中でも演出とは明確に区別させ、遊技者に対する注意喚起を的確に実施することができる。
【００８９】
そして、報知の手段として遊技者が注視していることの多い液晶表示装置ＬＣＤを利用し、情報の緊急性の度合いに応じて、「全画面表示」、「大ウインドウ表示」、「中ウインドウ表示」、「テロップ表示」を切り分けることで、緊急性の度合いが高い情報ほど見落とし難い報知態様へと変更している。また、このとき、背景画面のデータを複数用意した中から切り替えると共に変動図柄も大、中、小のデータから切り替えるから、「全画面表示」の警報以外においては、変動図柄の一部が見えなくなるといった演出に対する阻害とならない。
【００９０】
この結果、避難の必用な場合に、遊技者に対して的確な情報を確実に伝達することができると共に、逆に、避難まで必用のない場合には無用の混乱を避けることができるという効果が発揮される。
【００９１】
特に、地震警報発令時には、遊技機の動作が制限されるから、緊急性を有する情報が演出の一貫ではないということを、遊技者に自然と理解させることができると共に、避難体制への移行を促す効果もある。
【００９２】
そして、この様な遊技状態の制限は、ＶＬ信号の出力オフによって実行しているので、主制御基板３１０への信号入力を伴わずに遊技状態を制限することが可能となり、規則上の制限を満足するものともなっている。
【００９３】
この様に、本実施例によれば、遊技場において、遊技機の演出効果を低下させることなく遊技者に対して緊急性を有する情報を的確に報知することができ、的確な情報伝達により、遊技者にとってはより安心した遊技を行うことができるという効果が発揮される。
【００９４】
以上、発明を実施するための実施例を説明したが、本発明は、これらに限定されるものではなく、その要旨を逸脱しない範囲内における種々の変更が可能である。
【００９５】
例えば、「イベント告知」以外に、「カードの取り忘れ防止」などを、遊技機の発射停止状態等に応じて、効果音と共に液晶表示装置ＬＣＤやＣＲサンド５００の表示部に表示させたり、「地震警報」においても、予測震度や発生予測時刻などとの関係から警報の態様を段階的に変更させる様にしても構わない。
【００９６】
また、外部情報の出力の方法として、ホールコンピュータは情報の種類と緊急性の度合いだけを指令し、遊技機側の記憶装置内に、予め、情報の種類と緊急性の度合いに対応する報知用データを仕込んでおき、これを読み出して音声出力や表示出力する構成としてもよい。その様な場合、特に重要な情報は、「管内放送に注意してください」といったメッセージを含ませておき、報知完了後に管理室からの管内放送で地震警報の詳細な情報を伝達する様にしてもよい。
【００９７】
さらに、変動図柄は、その最大表示領域を背景の最大領域から算出する様にしてウインドウが開いたときに縮小表示とする様にしてもよいし、背景自体は全画面のままでウインドウの大きさに応じて変動図柄を縮小する演算を行う構成を加えておくことで、緊急性最大レベル以外での演出表示を阻害しない様にすることもできる。
【００９８】
また、図１（Ａ）に示した様に、遊技機の備えている発光演出装置も緊急性の度合いの高い情報の報知時に派手に点滅させて遊技者の注意喚起を行う報知手段Ｍ１として用いてもよいし、遊技機の演出用に備えたものとは別に、ブザーを設置したり、ＣＲサンドの表示器を利用して報知を行う様にしてもよい。
【００９９】
加えて、緊急性の度合いが高い情報を報知する際の遊技の制限は、表示画面ＬＣＤの表示領域への制限以外に画面の明るさや背景の色を変化させてもよい。また、発射モータの回転数を変化させるといった部分的な制限を加えるなどしても構わない。
【産業上の利用可能性】
【０１００】
本発明はパチンコ機やスロットマシンなどの各種遊技機において利用することができる。
【符号の説明】
【０１０１】
Ｍ１・・・報知手段、Ｍ２・・・報知態様変更手段、Ｍ３・・・外部情報受信手段、Ｍ４・・・遊技制限手段、Ｍ５・・・遊技状態制限手段、Ｍ６・・・インタフェース手段、Ｍ７・・・ＣＲサンド制限手段、
３１０・・・主制御基板、３２０・・・サブ制御基板、３３０・・・払出制御基板、３３５・・・ＢＣユニット、３４０・・・発射制御基板、３５０・・・インタフェース基板、３６０・・・電源基板、３７０・・・演出表示制御基板、３８０・・・電源中継基板、３９０・・・球貸し操作基板、４００・・・ホールコンピュータ、４１０・・・入力装置、４２０・・・操作スイッチ、４３０・・・外部情報受信部、４４０・・・記憶部、４５０・・・演算部、４６０・・・信号出力部、４７０・・・モニタ、４８０・・・スピーカー、４９０・・・マイク、５００・・・カードユニット、Ｐ・・・パチンコ遊技機、Ｇ・・・発射装置、Ｓ・・・演出操作ボタン、ＬＣＤ・・・液晶表示装置、ＬＥＤ・・・発光装置、ＭＴ・・・モータ、ＳＯＬ・・・ソレノイド、ＳＰ・・・スピーカ、ＳＥ１〜ＳＥ５・・・入賞検知センサ。
【図７】
2015051062.tif 000003
【図８】
2015051062.tif 000004
【図９】
2015051062.tif 000005
【図１０】
2015051062.tif 000006
【図１１】
2015051062.tif 000007
【図１２】
2015051062.tif 000008
【図１】
2015051062.tif 000009
【図２】
2015051062.tif 000010
【図３】
2015051062.tif 000011
【図４】
2015051062.tif 000012
【図５】
2015051062.tif 000013
【図６】
2015051062.tif 000014